(57)【要約】【課題】デジタル放送受信装置に上り回線を備えることなく、また、デジタル放送受信装置がチャンネルリストを予め記憶することなく、迅速にチャンネルリストの設定を行うことができる。【解決手段】デジタル放送送信装置１の送信部は、デジタル放送の放送用として定められた周波数帯域のうち、予め決められた周波数帯域を用いて、当該放送エリアにおける前記デジタル放送の全てチャンネルについての伝送路情報と放送サービスとを関連付ける情報とを含んだチャンネル情報を送信する。【選択図】図１
2009232119.tif 000002
【特許請求の範囲】
【請求項１】
デジタル放送の放送用として定められた周波数帯域のうち、予め決められた周波数帯域を用いて、当該放送エリアにおける前記デジタル放送の全てチャンネルについての伝送路情報と放送サービスとを関連付ける情報とを含んだチャンネル情報を送信する送信部
を備えたことを特徴とするデジタル放送送信装置。
【請求項２】
デジタル放送を送信するデジタル放送送信装置より送信された、前記チャンネル情報を受信し、前記チャンネル情報に基づいて、前記デジタル放送送信装置が送信した前記デジタル放送を受信する受信部
を備えたことを特徴とするデジタル放送受信装置。
【請求項３】
周波数などの伝送路情報と放送サービスとを関連づける情報を含んだネットワーク情報テーブルを受信する情報テーブル受信部と、
前記情報テーブル受信部が受信した前記ネットワーク情報テーブルと、前記チャンネル情報とを記憶する記憶部と、
前記記憶部が記憶する前記チャンネル情報中の当該チャンネルの情報と、前記情報テーブル受信部が受信する当該チャンネルの前記ネットワーク情報テーブルとが一致するか否か判断する制御部と、
を備え、
前記制御部が一致しないと判断した場合、前記受信部は、再度前記チャンネル情報を受信し、受信した前記チャンネル情報に基づいて前記デジタル放送送信装置が送信した前記デジタル放送を受信する
ことを特徴とする請求項２に記載のデジタル放送受信装置。
【請求項４】
請求項１に記載のデジタル放送送信装置と、請求項２または請求項３のいずれか１項に記載のデジタル放送受信装置と
を備えたことを特徴とするデジタル放送システム。
【発明の詳細な説明】
【技術分野】
【０００１】
本発明は、デジタル放送受信装置、デジタル放送送信装置およびデジタル放送システムに関する。
【背景技術】
【０００２】
地上デジタル放送では、放送波の一部分を用いて移動端末を含むデジタル放送受信装置向けにワンセグ放送サービスが提供されている。現在はサイマル放送という形で地上波放送と同一の内容がワンセグ放送にも採用されている。一方、サイマル放送だけでなく、独自のワンセグ放送コンテンツをある特定のスポットや微小なエリアに向けて配信する「エリア放送」の展開が検討されており、今後エリア放送を用いた映像・広告配信など様々な新しいアプリケーションが現れてくることが想定されている。このようなアプリケーションでは、関東一円や県域毎のような従来の放送エリアに比べ、受信可能な範囲が非常に小さくかつエリア毎に放送内容が異なるという特徴がある。
【０００３】
また、携帯電話等のワンセグチューナ付きの移動端末などのデジタル放送受信装置は、チャンネルリストに定義されている周波数情報などに基づいて、デジタル放送送信装置から送信されているデジタル放送を受信している。そのため、デジタル放送受信装置でデジタル放送を受信するためには、視聴前にチャンネルリストを設定する必要がある。
【０００４】
従来、チャンネルリストの設定方法として、以下の３つの方法が知られている。なお、チャンネルリストは、ある地域で受信することができる１つまたは複数のチャンネルの情報（例えば、デジタル放送を放送する事業者と、地域と、サービス内容や、送信周波数の情報）を、一つのリストに纏めたものである。
【０００５】
１．オート設定：デジタル放送受信装置が位置情報を送信し、受信した位置情報と予め登録している地域毎に定められたチャンネルリストとに基づいて、移動端末が存在する地域で受信可能なチャンネルのチャンネルリストを自動設定する方法（例えば、特許文献１参照）。
２．マニュアル設定：デジタル放送受信装置に予め登録されている複数のチャンネルリストの中から、ユーザが受信エリアについて定められたチャンネルリストを選択し、設定する方法。
３．放送波スキャン：デジタル放送受信装置がＵＨＦ帯の周波数を全て検索し、受信可能なチャンネルを一つ一つ確認してチャンネルリストを設定する方法。
【特許文献１】特開平７−１４３４１６号公報
【発明の開示】
【発明が解決しようとする課題】
【０００６】
オート設定では、デジタル放送受信装置はチャンネルリストを管理するサーバに対して現在の位置を通知し、通知された位置情報に基づいて、サーバはそのエリアに対応するチャンネルリストを移動端末に通知する。しかしながら、この方法を利用するには、デジタル放送受信装置は、サーバに対してデータを送信することが可能な上り回線を持っている必要がある。
【０００７】
例えば、ワンセグ機能付きの携帯電話などは、携帯電話の上り回線を通じてＧＰＳ（Ｇｌｏｂａｌ  Ｐｏｓｉｔｉｏｎｉｎｇ  Ｓｙｓｔｅｍ）情報や、基地局情報などを通知することができるが、ワンセグ機能つきの音楽携帯端末など、電波の受信機能のみを持っている移動端末ではオート設定の方法を用いてチャンネル設定処理を行うことができないという問題がある。
【０００８】
また、マニュアル設定は、事前にデジタル放送受信装置に登録されているチャンネルリストの中からユーザが現在地に応じたチャンネルリストを選択し、設定する。この方法は、チャンネルリストが県域単位のようなある程度大きいエリア毎に作成されており、チャンネルリストの数が少ない場合、かつチャンネルリストの内容が変更されない場合には有効である。しかしながら、特定のスポットや微小なエリアだけで視聴可能なエリア放送を行っている全ての地域についてチャンネルリストを作成した場合、チャンネルリストの数が膨大になり、膨大な数のチャンネルリストを予めデジタル放送受信装置に登録しておくことは困難であるという問題がある。また、エリア放送サービスは既存のデジタル放送サービスに比べサービスの開始・停止の頻度が高いことが予想され、チャンネルリストを固定的に登録していても実際の放送内容と異なる可能性が高い。
【０００９】
放送波スキャンは、あらゆるデジタル放送受信装置において当該エリアの正確なチャンネルリストを生成可能である。しかしながら、ＵＨＦ帯全てのスキャンが完了するまでに通常２分〜３分という長い時間がかかるため、エリア放送を行っている地域に移動する毎に放送波スキャンを行うような利用方法ではユーザの利便性が悪くなるという問題がある。
【００１０】
本発明は上記の課題を解決するためになされたものであり、デジタル放送受信装置が使用する上り回線を用意することなく、また、デジタル放送受信装置がチャンネルリストを予め記憶することなく、迅速にチャンネルリストの設定を行うことができるデジタル放送受信装置、デジタル放送送信装置およびデジタル放送システムを提供することを目的とする。
【課題を解決するための手段】
【００１１】
本発明は、デジタル放送の放送用として定められた周波数帯域のうち、予め決められた周波数帯域を用いて、当該放送エリアにおける前記デジタル放送の全チャンネルについて周波数などの伝送路情報と放送サービスとを関連付ける情報とを含んだチャンネル情報を送信する送信部を備えたことを特徴とするデジタル放送送信装置である。
【００１２】
また、本発明は、デジタル放送を送信するデジタル放送送信装置より送信された、前記チャンネル情報を受信し、前記チャンネル情報に基づいて、前記デジタル放送送信装置が送信した前記デジタル放送を受信する受信部を備えたことを特徴とするデジタル放送受信装置である。
【００１３】
また、本発明は、周波数などの伝送路情報と放送サービスとを関連づける情報を含んだネットワーク情報テーブルを受信する情報テーブル受信部と、前記情報テーブル受信部が受信した前記ネットワーク情報テーブルと、前記チャンネル情報とを記憶する記憶部と、前記記憶部が記憶する前記チャンネル情報中の当該チャンネルの情報と、前記情報テーブル受信部が受信する前記ネットワーク情報テーブルとが一致するか否か判断する制御部と、を備え、前記制御部が一致しないと判断した場合、前記受信部は、再度前記チャンネル情報を受信し、受信した前記チャンネル情報に基づいて前記デジタル放送送信装置が送信した前記デジタル放送を受信することを特徴とするデジタル放送受信装置である。
【００１４】
また、本発明は、デジタル放送送信装置と、デジタル放送受信装置とを備えたことを特徴とするデジタル放送システムである。
【発明の効果】
【００１５】
本発明によれば、デジタル放送受信装置が使用する上り回線を用意することなく、また、デジタル放送受信装置がチャンネルリストを予め記憶することなく、迅速にチャンネルリストの設定を行うことができる。
【発明を実施するための最良の形態】
【００１６】
（第一の具体例）
以下、本発明の一実施形態における第一の具体例について説明する。図１は、本具体例におけるデジタル放送システムの構成を示した構成図である。図示する例では、デジタル放送システムは、デジタル放送送信装置１と、デジタル放送受信装置２と、デジタル放送コンテンツサーバ３とを備える。
【００１７】
デジタル放送送信装置１はデジタル放送を配信（送信）する送信装置である。デジタル放送受信装置２は、デジタル放送送信装置１が配信したデジタル放送を表示する受信装置である。デジタル放送コンテンツサーバ３は、デジタル放送で配信するコンテンツ（情報）と、チャンネル情報とを記憶するサーバである。チャンネル情報は、デジタル放送送信装置１がデジタル放送を送信する全てのチャンネルについての周波数、ｓｅｒｖｉｃｅ＿ｉｄ（ＩＤ情報）などが含まれる情報である。なお、ｓｅｒｖｉｃｅ＿ｉｄは、放送を行う事業者と、放送する地域と、放送するサービスとを一意に決定するＩＤである。例えば、地上波デジタル放送のサービスとしては、テレビ型のサービスやデータ型のサービスなどがある。また、デジタル放送送信装置１が送信する電波が届く範囲を放送エリアとする。
【００１８】
本実施形態では、デジタル放送送信装置１とデジタル放送コンテンツサーバ３とはＩＰ（Ｉｎｔｅｒｎｅｔ  Ｐｒｏｔｏｃｏｌ）ネットワークを介して接続されており、ＩＰネットワークを介して、デジタル放送コンテンツサーバ３は、自身が記憶するコンテンツとチャンネル情報とをデジタル放送送信装置１に送信する。なお、本実施形態では、コンテンツとチャンネル情報とをデジタル放送コンテンツサーバ３が記憶しているが、異なる装置がコンテンツとチャンネル情報とを別々に記憶し、各装置がデジタル放送送信装置１に対して送信しても良い。また、本実施形態では、ＩＰネットワークを介してデジタル放送送信装置１とデジタル放送コンテンツサーバ３を接続しているが、両装置は同じ場所に設置してもよい。
【００１９】
図２は、本実施形態におけるデジタル放送受信装置２の構成のうち、チャンネルリストを作成するチャンネルリスト作成部２０の構成を示した構成図である。図示する例では、チャンネルリスト作成部２０は、局部発振器２１と、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、直交波周波数分割多重）復調部２２（受信部）と、ＴＳ（Ｔｒａｎｓｐｏｒｔ  Ｓｔｒｅａｍ、トランスポートストリーム）分離部２３と、カルーセル処理部２４と、データ復号部２５と、記憶部２６とを備える。
【００２０】
局部発振器２１は、周波数変換用の発振回路である。ＯＦＤＭ復調部２２は、ＯＦＤＭ信号を復調する。ＴＳ分離部２３は、復調されたＴＳパケットからデータ放送に関するＴＳパケットを分離する。カルーセル処理部２４は、データ放送の受信を行う。データ復号部２５はデータ放送の内容を取得しチャンネルリストの生成を行う。記憶部２６は、チャンネルリスト作成部２０が使用する情報を記憶する。また、チャンネルリストは、デジタル放送送信装置１がデジタル放送を送信する周波数とｓｅｒｖｉｃｅ＿ｉｄ、リモコン番号などとを関連付けた表（リスト）である。
【００２１】
図３は、本具体例におけるデジタル放送送信装置１が情報を送信するために使用する周波数帯域を示した図である。この周波数帯域はデジタル放送の放送用として定められた周波数帯域である。図示する例では、デジタル放送送信装置１が使用する周波数帯域はｆ１〜ｆｎまでのｎ個ある。本具体例では、デジタル放送送信装置１がチャンネル情報を送信する周波数帯域は予めｆ１と決められている。デジタル放送送信装置１は、周波数帯域ｆ１を使用してチャンネル情報を送信し、周波数帯域ｆ２〜ｆｎを使用してデジタル放送のコンテンツを送信している。また、本具体例では、デジタル放送送信装置１はデータ放送を用いてチャンネル情報を送信している。
【００２２】
次に、図４を参照して、デジタル放送受信装置２がチャンネルリストを作成する手順に付いて説明する。図４は、本具体例における、デジタル放送受信装置２がチャンネルリストを作成する手順を示したフローチャートである。
【００２３】
（ステップＳ１０１）デジタル放送受信装置２のチャンネルリスト作成部２０は、チャンネルリスト作成処理を開始する。その後、ステップＳ１０２に進む。
（ステップＳ１０２）チャンネルリスト作成部２０の局部発振器２１は、デジタル放送送信装置１が当該放送エリアのチャンネル情報を送信する周波数と同一の周波数を受信するように発振周波数を合わせる。その後、ステップＳ１０３に進む。なお、デジタル放送送信装置１がチャンネル情報を送信する周波数は予め決まっているものとする。
【００２４】
（ステップＳ１０３）ＯＦＤＭ復調部２２は、局部発振器２１の発振周波数に基づいてチャンネル情報が送信される周波数ｆ１の放送を受信し、当該周波数でＯＦＤＭ信号の同期が確立するか否か判断する。同期が確立していると判断した場合はステップＳ１０４に進み、それ以外はステップＳ１０９に進む。
【００２５】
（ステップＳ１０４）ＯＦＤＭ復調部２２は、デジタル放送送信装置１より送信されたＯＦＤＭ信号（電波）を受信し、ＯＦＤＭ復調処理により、受信したＯＦＤＭ信号からＴＳパケットを取り出す。その後、ステップＳ１０５に進む。
（ステップＳ１０５）ＴＳ分離部２３は、ステップＳ１０４でＯＦＤＭ復調部２２が取り出したＴＳパケットからＮＩＴ（Ｎｅｔｗｏｒｋ  Ｉｎｆｏｒｍａｔｉｏｎ  Ｔａｂｌｅ、ネットワーク情報テーブル）を取得する。その後、ステップＳ１０６に進む。
【００２６】
（ステップＳ１０６）ＴＳ分離部２３は、ステップＳ１０５で取得したＮＩＴから、チャンネル情報を送信しているデータ放送のｓｅｒｖｉｃｅ＿ＩＤを取得する。前記ｓｅｒｖｉｃｅ＿ＩＤから、当該サービスを構成する全てのコンポーネント情報が含まれるＰＭＴ（Ｐｒｏｇｒａｍ  Ｍａｐ  Ｔａｂｌｅ、プログラムマップテーブル）のＰＩＤ（Ｐａｃｋｅｔ  ＩＤ、パケットＩＤ）が一意に決定され、前記ＰＭＴを取得するとともに、前記ＰＭＴに記載されているチャンネル情報を送信しているデータ放送のＰＩＤを得て、当該ＰＩＤをフィルタリングすることでデータ放送のＴＳパケットを得る。その後、ステップＳ１０７に進む。
（ステップＳ１０７）カルーセル処理部２４は、ＴＳ分離部２３が出力するデータ放送のＴＳパケットを処理し、データ放送を構成する全てのモジュールを取得する。なお、データ放送はデータカルーセルとしてデジタル放送送信装置１より配信されている。
【００２７】
（ステップＳ１０８）データ復号部２５は、カルーセル処理部２４が取得したモジュールに含まれるＢＭＬ（Ｂｒｏａｄｃａｓｔ  Ｍａｒｋｕｐ  Ｌａｎｇｕａｇｅ）文書の解釈を行い、当該放送エリアのチャンネルリストを作成する。また、作成したチャンネルリストを記憶部２６（メモリ）に記憶させる。その後、ステップＳ１１０に進む。
【００２８】
（ステップＳ１０９）チャンネルリスト作成部２０は、デジタル放送送信局１が送信する電波の届く範囲外（放送エリア外）に自身が存在すると判断する。その後、ステップＳ１１０に進む。
（ステップＳ１１０）チャンネルリスト作成部２０は、チャンネルリスト作成処理を終了する。
【００２９】
チャンネルリスト作成処理後、デジタル放送受信装置２は、デジタル放送送信装置１から送信されるデジタル放送を、チャンネルリストに定義されている周波数で受信する。
【００３０】
上述したとおり、本具体例によれば、デジタル放送送信局１がデジタル放送用の電波を用いてチャンネル情報をデジタル放送受信装置２に送信し、デジタル放送受信装置２が受信したチャンネル情報に基づいてチャンネルリストを作成する。これにより、デジタル放送受信装置２が使用する上り回線を用意することなく、また、デジタル放送受信装置２がチャンネルリストを予め記憶することなく、迅速にチャンネルリストの設定を行うことができる。
【００３１】
（第二の具体例）
次に、第二の具体例として、デジタル放送受信装置２が、あるデジタル放送送信装置１が送信する電波が届く範囲内から範囲外に移動し、他のデジタル放送送信装置１が送信する電波が届く範囲外から範囲内に移動した場合におけるチャンネルリストの生成方法について説明する。
【００３２】
図５は、本具体例におけるデジタル放送システムの構成を示した構成図である。図示する例では、デジタル放送システムは、デジタル放送送信装置１−１，１−２と、デジタル放送受信装置２とを備える。なお、図５にはデジタル放送コンテンツサーバ３が記載されていないが、第一の具体例と同様に、デジタル放送コンテンツサーバ３は、自身が記憶するコンテンツとチャンネル情報とをＩＰネットワークを介してまたは直接デジタル放送送信装置１−１，１−２に送信する。
【００３３】
図示する例では、デジタル放送送信装置１−１が送信する電波が届く範囲（放送エリア１）と、デジタル放送送信装置１−２が送信する電波が届く範囲（放送エリア２）とは異なっている。また、本具体例では、デジタル放送受信装置２が放送エリア１と放送エリア２間を移動した場合においても、チャンネルリストを自動的に生成することができる方法について説明する。
【００３４】
また、デジタル放送送信装置１−１が使用する周波数帯域はｆ１〜ｆｍまでのｍ個ある。本具体例では、デジタル放送送信装置１−１は、周波数帯域ｆ１を使用してチャンネル情報を送信し、周波数帯域ｆｌ〜ｆｍを使用してデジタル放送のコンテンツを送信している。また、デジタル放送送信装置１−２が使用する周波数帯域はｆ１〜ｆ５までの５個ある。本具体例では、デジタル放送送信装置１−２は、周波数帯域ｆ１を使用してチャンネル情報を送信し、周波数帯域ｆ２〜ｆ５を使用してデジタル放送のコンテンツを送信している。また、本実施形態では、デジタル放送送信装置１−１，１−２はデータ放送を用いてチャンネル情報を送信している。
【００３５】
次に、図６を参照して、デジタル放送受信装置２がチャンネルリストを作成する手順に付いて説明する。図６は、本具体例における、デジタル放送受信装置２がチャンネルリストを作成する手順を示したフローチャートである。なお、説明中、デジタル放送送信装置１−１，１−２を区別する必要がないため、デジタル放送送信装置の符号を１とする。また、デジタル放送受信装置２が既にチャンネルリストを作成している場合は、作成したチャンネルリストを自身の記憶部２６に記憶している。
【００３６】
（ステップＳ２０１）デジタル放送受信装置２は、デジタル放送の受信処理を開始する。その後、ステップＳ２０２に進む。
（ステップＳ２０２）ＯＦＤＭ復調部２２は、局部発振器２１の発振周波数に基づいて、現在受信している放送の周波数とＯＦＤＭ信号の同期が確立しているか否か判断する。同期が確立していると判断した場合はステップＳ２０３に進み、それ以外はステップＳ２０９に進む。
【００３７】
（ステップＳ２０３）ＯＦＤＭ復調部２２は、デジタル放送送信装置１より送信されたＯＦＤＭ信号（電波）を受信し、ＯＦＤＭ復調処理により、受信したＯＦＤＭ信号からＴＳパケットを取り出す。その後、ステップＳ２０４に進む。
（ステップＳ２０４）ＴＳ分離部２３は、ステップＳ２０３でＯＦＤＭ復調部２２が取り出したＴＳパケットからＮＩＴを取得する。その後、ステップＳ２０５に進む。
【００３８】
（ステップＳ２０５）チャンネルリスト作成部２０は、ステップＳ２０４で取得したＮＩＴと同一の情報が、記憶部２３が記憶する情報の中に存在するか否か判断する。存在すると判断した場合はステップＳ２０６に進み、それ以外はステップＳ２０７に進む。
（ステップＳ２０６）チャンネルリスト作成部２０は、デジタル放送受信装置２は他の放送エリアに移動していないと判断し、ステップＳ２１７に進む。
【００３９】
（ステップＳ２０７）チャンネルリスト作成部２０は、デジタル放送受信装置２は他の放送エリアに移動したと判断し、ステップＳ２０８に進む。
（ステップＳ２０８）チャンネルリスト作成部２０の局部発振器２１は、デジタル放送送信装置１がチャンネル情報を送信する周波数を受信するように発振周波数を合わせる。その後、ステップＳ２１２に進む。なお、デジタル放送送信装置１がチャンネル情報を送信する周波数は予め決まっている。そのため、デジタル放送受信装置２は、自身が現在どの放送エリアに存在するのか認識しなくても当該放送エリアの全チャンネル情報を受信することができる。
【００４０】
（ステップＳ２０９）チャンネルリスト作成部２０は、デジタル放送受信装置２は他の放送エリアに移動したと判断し、ステップＳ２１０に進む。
（ステップＳ２１０）チャンネルリスト作成部２０の局部発振器２１は、デジタル放送送信装置１が当該放送エリアの全チャンネル情報を送信する周波数を受信するように発振周波数を合わせる。その後、ステップＳ２１１に進む。
【００４１】
（ステップＳ２１１）ＯＦＤＭ復調部２２は、局部発振器２１の発振周波数に基づいて、チャンネル情報が送信されている周波数とＯＦＤＭ信号の同期が確立しているか否か判断する。同期が確立していると判断した場合はステップＳ２１２に進み、それ以外はステップＳ２１８に進む。
【００４２】
（ステップＳ２１２）ＯＦＤＭ復調部２２は、デジタル放送送信装置１より送信されたＯＦＤＭ信号（電波）を受信し、ＯＦＤＭ復調処理を行う。その後、ステップＳ２１３に進む。
（ステップＳ２１３）ＯＦＤＭ復調部２２は、ステップＳ２１２で行ったＯＦＤＭ復調処理によって得られた信号からＴＳパケットを取り出す。その後、ステップＳ２１４に進む。
【００４３】
（ステップＳ２１４）ＴＳ分離部２３は、ステップＳ２１３でＯＦＤＭ復調部２２が取り出したＴＳパケットからＮＩＴを取得する。その後、ステップＳ２１５に進む。
（ステップＳ２１５）ＴＳ分離部２３は、ステップＳ２１４で取得したＮＩＴから、チャンネル情報を送信しているデータ放送のｓｅｒｖｉｃｅ＿ＩＤを取得する。前記ｓｅｒｖｉｃｅ＿ＩＤから、当該サービスを構成する全てのコンポーネント情報が含まれるＰＭＴのＰＩＤが一意に決定され、ＰＭＴを取得するとともに、ＰＭＴからチャンネル情報を送信しているデータ放送のＰＩＤを得て、当該ＰＩＤをフィルタリングすることでデータ放送のＴＳパケットを得る。その後、ステップＳ２１６に進む。
【００４４】
（ステップＳ２１６）カルーセル処理部２４は、ＴＳ分離部２３が出力するデータ放送ＴＳパケットを処理し、データ放送を構成する全てのモジュールを取得する。なお、データ放送はデータカルーセルとしてデジタル放送送信装置１より配信されている。データ復号部２５は、カルーセル処理部２４が取得したモジュールに含まれるＢＭＬ文書の解釈を行い、当該放送エリアのチャンネルリストを作成する。また、作成したチャンネルリストを記憶部２６が記憶しているチャンネルリストと置き換える。その後、ステップＳ２１７に進む。
【００４５】
（ステップＳ２１７）デジタル放送受信装置２は、デジタル放送送信装置１から送信されるデジタル放送を、記憶部２６が記憶するチャンネルリストに定義されている周波数で受信し、デジタル放送の表示を開始する。その後、ステップＳ２０１に戻る。
【００４６】
（ステップＳ２１８）チャンネルリスト作成部２０は、デジタル放送送信局１が送信する電波の届く範囲外（放送エリア外）であると判断する。その後、ステップＳ２１９に進む。
（ステップＳ２１９）デジタル放送受信装置２は、デジタル放送の表示が不可能と判断する。その後、ステップＳ２０１に戻る。
【００４７】
上述したとおり、本具体例によれば、実際にデジタル放送を受信して得たＮＩＴと、既に記憶部２６が記憶しているチャンネルリストとに基づいて、デジタル放送受信装置２は他の放送エリアに移動したか否か判断する。他の放送エリアに移動した場合、チャンネルリスト作成部２０は、移動先の放送エリアに対応したチャンネルリストを作成する。これにより、デジタル放送受信装置２は、あるデジタル放送送信装置１の放送エリアから、他のデジタル放送送信装置１の放送エリアに移動した場合においても、ユーザがチャンネルリストの設定を行うことなく、移動先の放送エリアに対応したチャンネルリストの設定を迅速に行うことができる。
【００４８】
以上、この発明の実施形態について図面を参照して詳述してきたが、具体的な構成はこの実施形態に限られるものではなく、この発明の要旨を逸脱しない範囲の設計等も含まれる。
【００４９】
たとえば、図１および図５に示したデジタル放送受信装置２は持ち運び可能な受信装置の図であるが、本発明のデジタル放送受信装置は持ち運び可能な受信装置であっても、据え置き型の受信装置であってもよい。
【図面の簡単な説明】
【００５０】
【図１】本発明の一実施形態におけるデジタル放送システムの構成を示した構成図である。
【図２】本実施形態におけるチャンネルリスト作成部の構成を示した構成図である。
【図３】本実施形態におけるデジタル放送送信装置が情報を送信するために使用する周波数帯域を示した図である。
【図４】本実施形態において、デジタル放送受信装置がチャンネルリストを作成する手順を示したフローチャートである。
【図５】本実施形態におけるデジタル放送システムの構成を示した構成図である。
【図６】本実施形態において、デジタル放送受信装置がチャンネルリストを作成する手順を示したフローチャートである。
【符号の説明】
【００５１】
１，１−１，１−２・・・デジタル放送送信装置、２・・・デジタル放送受信装置、３・・・デジタル放送コンテンツサーバ、２０・・・チャンネルリスト作成部、２１・・・局部発振器、２２・・・ＯＦＤＭ復調部、２３・・・ＴＳ分離部、２４・・・カルーセル処理部、２５・・・データ復号部、２６・・・記憶部
【図１】
2009232119.tif 000003
【図２】
2009232119.tif 000004
【図３】
2009232119.tif 000005
【図４】
2009232119.tif 000006
【図５】
2009232119.tif 000007
【図６】
2009232119.tif 000008